(57)【特許請求の範囲】
【請求項１】
ベースとなるテープ材と、個体識別情報を有する動作周波数が４００ＭＨｚ以上のＲＯＭによって構成されたＩＣチップと、ダイポールアンテナを用いた送受信アンテナから構成され、前記ＩＣチップが前記送受信アンテナの中央部に電気的に接続された非接触式ＩＣタグと、軟磁性体と、複数の半硬質磁性の磁気式セグメントで構成された磁気式タグとからなり、前記したベースとなるテープ材の一面に前記非接触式ＩＣタグと磁気式タグを物理的に接続することなく長手方向に沿って並列に固定してあり、前記した非接触式タグと磁気式タグの上面にカバーテープが重合されている電子タグにおいて、前記ＩＣチップのサイズは０．５ｍｍ2以下とし、前記したベースとなるテープ材は幅を６ｍｍ以下、長さを１５０ｍｍ以下とし、前記した磁気式タグの軟磁性体は磁気式テープとし、前記した複数の磁気式セグメントは、前記磁気式テープに沿った方向の長さを３ｍｍ以上とし、前記磁気式テープの一面に所定幅の間隔で配置されていることを特徴とする書籍管理用電子タグ。
【請求項２】
前記ＩＣチップが固定識別情報を有する動作周波数が２．４５ＧＨｚのＲＯＭによって構成されたＩＣチップであることを特徴とする請求項１に記載の書籍管理用電子タグ。
【発明の詳細な説明】
【技術分野】
【０００１】
本発明は電子タグに関し、個体識別とその個体の不正持出し、特に万引等の盗難防止の二つの機能を兼ね備える非接触式ＩＣタグと磁気式タグを一体化した電子タグに関する。
【背景技術】
【０００２】
近年、各商品個体の情報を予め入力したＩＣチップを用いた非接触式ＩＣタグ（ＲＦＩＤ）は、その物のライフサイクル全体を管理することができるシステムとして、製造から物流、販売そしてリサイクルの全ての業態で注目され使用されている。特にマイクロ波を含むＵＨＦ波を用いる無線による非接触式ＩＣタグはＩＣチップにアンテナを電気的に接続した構造で、数ｍ通信距離を可能としており、大量の商品の物流管理、製造物履歴管理、セキュリティ管理の目的で利用されている。
【０００３】
一方磁気式タグは磁性体が電磁場に影響を与える特性を利用し、店舗や施設から商品を不正に持ち出すことの防止を目的として使用されている。この磁気式タグは電磁場を発生および感知するゲートとシステム上対応している。この磁気式タグは、この商品の不正持出しを監視するためのものであるため、個別の識別機能は有しておらず、商品の管理も実行しようとする場合、他に非接触式ＩＣタグを別に取り付ける必要があり、この手間と二種のタグの費用が必要となっていた。
【０００４】
この点に着目して特許文献１として示す電子タグが開発された。その特許文献１に示す電子タグは無線ＩＣチップを内蔵したケースタグ本体に軟磁性体の箔層を形成し、アンテナ用として軟磁性体からなる金属線を組み付けた吊持用紐体が取り付けられている。この電子タグでは軟磁性体の箔層と無線ＩＣチップの位置をずらせて同一ケース内にパックされており、吊持用紐体で商品の外側に取り付けるものとしている。
【０００５】
しかし、この形態の電子タグは、書籍やＣＤ、ＤＶＤ等の商品にあってはその商品と電子タグとの一体化が難しく、書籍やＣＤ、ＤＶＤのケースに対応させて幅を狭くすることができない。
【０００６】
このような書籍やＣＤ、ＤＶＤのケース等の狭い幅の位置へ対応できる電子タグとして特許文献２に示す技術が提案されている。この特許文献２における電子タグは大概的に磁気式タグの上に非接触式ＩＣタグを粘着させ、幅を狭く、小型化を図ったものである。
【０００７】
しかしながら、この特許文献２に示される電子タグにあっても磁気式タグと非接触式ＩＣタグとの重合位置がずれると無線機能が低下したり、通信不能となってしまうことがある。また、書籍に対して用いる場合もその設置位置が背表紙等に限定されてしまうこともある。
【特許文献１】特開２００４−２２７５０８号公報
【特許文献２】特願２００６−９８４３１号出願書類
【発明の開示】
【発明が解決しようとする課題】
【０００８】
本発明が解決しようとする問題点は、磁気式タグと非接触式ＩＣタグを一体化した電子タグであって、より一層の無線特性、即ち、非接触式ＩＣタグの特性を向上させるとともに、その設置位置を限定されず、例えば書籍のページ間や喉部分に挟み込んでしまうことを可能とするさらに細く、薄い電子タグが存在していなかったという点である。
【課題を解決するための手段】
【０００９】
この問題を解決するために、本発明に係る書籍管理用電子タグはベースとなるテープ材と、個体識別情報を有する動作周波数が４００ＭＨｚ以上のＲＯＭによって構成されたＩＣチップと、ダイポールアンテナを用いた送受信アンテナから構成され、前記ＩＣチップが前記送受信アンテナの中央部に電気的に接続された非接触式ＩＣタグと、軟磁性体と、複数の半硬質磁性の磁気式セグメントで構成された磁気式タグとからなり、前記したベースとなるテープ材の一面に前記非接触式ＩＣタグと磁気式タグを物理的に接続することなく長手方向に沿って並列に固定してあり、前記した非接触式タグと磁気式タグの上面にカバーテープが重合されている電子タグにおいて、前記ＩＣチップのサイズは０．５ｍｍ2以下とし、前記したベースとなるテープ材は幅を６ｍｍ以下、長さを１５０ｍｍ以下とし、前記した磁気式タグの軟磁性体は磁気式テープとし、前記した複数の磁気式セグメントは、前記磁気式テープに沿った方向の長さを３ｍｍ以上とし、前記磁気式テープの一面に所定幅の間隔で配置されていることを特徴としている。
【発明の効果】
【００１０】
本発明に係る電子タグは上記のように構成されている。テープ材の一面に磁気式タグを固定し、その磁気式タグと並列に非接触式ＩＣタグを配備するようにしたことで、非接触式ＩＣタグのＩＣチップと電気的に接続されているアンテナに通常ＩＣチップと連通するＬ字形やＴ字形の励振スリットが磁気式タグと重なることは構成上なくなり、そのインピーダンス整合が取れなくなって通信不能、あるいは機能低下を生じてしまうことは無くなり、非接触式ＩＣタグの特性が向上する。
【００１１】
また、かかるベースとしてテープ材を用いたことで、電子タグ全体としては細幅である程度の長さを有するテープ状のものとして構成することができ、対象を書籍とした場合、ページ間や喉部分、そして背表紙と糊付けされた束との間へ挿入して装着することも可能となり、店舗に陳列された商品としての書籍に違和感を与えることも無い。
【発明を実施するための最良の形態】
【００１２】
図面として示し、実施例で説明したように構成したことで実現した。
【実施例】
【００１３】
次に、本発明の好ましい実施の一例を図面を参照して説明する。図１は本発明を実施した電子タグを示す部分平面図、図２は同じく他の例を示す平面図、図３は使用対象となる書籍を示す斜視図である。
【００１４】
これらの図にあって１はベースとするテープ材を示しており、このテープ材１はフレキシブルなプラスチック製のものが使用される。後述するように、本実施例に係る電子タグは書籍を使用対象として、その商品管理及び盗難防止を図るため、書籍に装着し易いように、このテープ材１の幅を６ｍｍ以下、そして長さを１５０ｍｍ以下とし、文庫本にも対応することができるものとしている。
【００１５】
このテープ材１の一方側の面上にはそのテープ材１の長手方向に沿って磁気式タグ２が直線方向に配置され、粘着剤等の固定手段を介して固定されている。この磁気式タグ２と平行に非接触式ＩＣタグ３が配置される。
【００１６】
この非接触式ＩＣタグ３はＩＣチップ４と電気的に接続されているアンテナ５から構成されて、接着手段例えば、０．１７ｍｍ厚の両面テープをもって固定される。ここで、アンテナ５はアルミニウムや銅等の金属もしくは合金の非磁性材料で形成されている。このアルミニウムや銅は安価でエッチング等の加工性がよく、良好な特性を得るためのアンテナ５の材料として好適である。
【００１７】
また、本実施例で用いられる非接触式ＩＣタグ３は４００ＭＨｚ以上のマイクロ波、特に２．４５ＧＨｚのマイクロ波を用いる無線方式のものとなっている。具体的には（株）日立製作所が販売している「ミューチップ」（商標）を用いている。４００ＭＨｚ以上のマイクロ波を用いる非接触式ＩＣタグはアンテナとして形状が棒状であるダイポールアンテナを用いることで良好な通信特性が得られるため、電子タグとしての形状を細型化することができる。
【００１８】
また、前記したように磁気式タグ２は半硬質磁性体をセグメント２ａ、２ａ‥として間隔をあけて配置し、そのセグメント２ａ、２ａの間隔位置に対応して前記した非接触式ＩＣタグ３のＩＣチップ４を位置させることができ、このセグメント２ａ、２ａ‥を軟磁性体の磁気式テープ２ｂで接続もしくは重合させて構成することもできる。
【００１９】
本発明で言う磁気式タグとは、一般の万引き等の盗難防止を目的として使用されるもの（軟磁性体と半硬質磁性体とを組み合わせた構成）であれば、特に限定されるものではないが、軟磁性体としては、好ましくは、５ｍＯｅ，１ｋＨｚの励振磁界における初透磁率が１０００以上の高透磁率を持つ金属材料が良い。具体的には、Ｎｉ-Ｆｅを主成分とするパーマロイ，Ｆｅ-Ｓｉ合金，アモルファス合金等が挙げられ、なかでも、Ｃｏ-Ｆｅ-Ｓｉ-Ｂ，Ｃｏ-Ｆｅ-Ｎｉ-Ｓｉ-Ｂを主成分とするアモルファス金属材料は、高透磁率特性を示すことから、特に好ましい。
【００２０】
なお、本願発明における軟磁性体材料の形態としては、円形断面、楕円断面、多角形断面を有する線材や、細幅の矩形断面を有する薄板や薄帯のものを用いることができる。また、磁化過程において、ある特定の励磁磁界（逆磁区形成限界磁界値）において急速に磁化反転を生じる大バルクハウゼン不連続という磁気特性を示すＦｅ-Ｃｏ-Ｓｉ-Ｂ主成分とするアモルファス金属材料も本願発明の軟磁性体として好ましい材料に挙げられる。
【００２１】
また、半硬質磁性体としては、保磁力が１０エルステッド以上５００エルステッド以下のものを用いることができ、種々のＦｅ合金やＣｏ合金を用いることができる。なかでも、Ｆｅ-Ｃｏ-Ｃｒ系合金は、３０エルステッド以上１５０エルステッド以下の優れた半硬質磁気特性を示すので、本願発明に好ましい材料である。また、半硬質磁性材料としては、長さが３ｍｍ以上のものを用いれば、半硬質磁性材料が着磁した場合に軟磁性体材料に充分な失活性能を付与することができ、好ましい。
【００２２】
こうした構成の本実施例に係る電子タグは、テープ材１に搭載された磁気式タグ２、２及び非接触式ＩＣタグ３の上面から脱落や位置ずれを防止するためのカバーテープを重合させてやることもでき、全体としてテープ状とした電子タグとすることができ、この電子タグは図３として例示する書籍Ｂのページ間や喉部分６に挟み込んだり、両面テープ等を用いて装着することもでき、背表紙７と一縁を糊付けされている束８の間に形成される空隙に挿入装着してやることもできる。
【００２３】
また、前記したＩＣチップ４は、個別情報をＲＯＭによって構成することが好ましく、このＩＣチップ４に固有のＩＤのみをＲＯＭによって構成入力しておくことで、この固有ＩＤをネットワーク上で管理すれば、小型で安価であり、改ざん不可能なＩＣチップとすることができる。
【００２４】
この本実施例で説明した電子タグは、無線通信用のＩＣチップとアンテナから構成される非接触式ＩＣタグと磁気式タグを兼備しており、その磁気式タグで非接触式ＩＣタグの通信性能を高めることができるものとなっており、商品等の被着体への装着の手間が一度で済み、細型で安価なものとなっている。
【産業上の利用可能性】
【００２５】
本発明に係る電子タグは上記のように構成されており、実施例では被着体として書籍Ｂを挙げたが、これにこだわらずＣＤ、ＤＶＤ等のケースをはじめ、装着形態が特定される種々の物品に対し、広く応用して装着することが可能となる。
【図面の簡単な説明】
【００２６】
【図１】本発明を実施した電子タグを示す部分平面図である。
【図２】他の例を示す平面図である。
【図３】使用対象となる書籍を示す斜視図である。
【符号の説明】
【００２７】
１    テープ材
２    磁気式タグ
２ａ  セグメント
２ｂ  磁気式テープ
３    非接触式ＩＣタグ
４    ＩＣチップ
５    アンテナ
６    喉部分
７    背表紙
８    束
Ｂ    書籍
【図１】
0005276302.tif 000002
【図２】
0005276302.tif 000003
【図３】
0005276302.tif 000004